(57)【要約】【課題】組み立て作業の作業性を向上させることが可能な電装品ユニット、およびこれを備えた空気調和装置の室外機を提供する。【解決手段】電装品ユニット５０は、支持部２３ｃによって支持されており、第２板状部材５２と、第３面部材５３ａと、第４面部材５３ｂと、を備えている。第２板状部材５２は、制御用Ｐ板５２ａを搭載しており、上記正面と面するように上下方向に延びている。第３面部材５３ａは、上記右側面側に位置する第２板状部材５２の端部よりも上記右側面と離れた位置で、第２板状部材５２と接合されて背面側へと延びている。第４面部材５３ｂは、第３面部材５３ａの背面側の端部から支持部２３ｃへと延びている。第２板状部材５２と第４面部材５３ｂとの間に、制御用Ｐ板５２ａから延びるワイヤーハーネス５２ｂを配線経路Ａに沿って収納する第２配線空間Ｓ２が形成されている。【選択図】図５
2008101832.tif 000002
【特許請求の範囲】
【請求項１】
少なくとも正面部（２２ａ，２２ｂ，２２ｃ）と側面部（２２ｃ，２３ａ，２３ｂ）とを含むケーシング（２）を有する空調ユニット（１）において、前記側面部（２３ａ，２３ｂ）に設けられた支持部（２３ｃ）によって支持された電装品ユニット（５０）であって、
制御基板（５２ａ）を搭載しており、前記正面部（２２ａ，２２ｂ，２２ｃ）と面するように略垂直に延びる板状部材（５２）と、
前記板状部材（５２）の前記側面部（２２ｃ，２３ａ，２３ｂ）側の端部から背面側へと延び、前記板状部材（５２）と鋭角を成す第１面部材（５４ａ）と、
前記第１面部材（５４ａ）の背面側の端部から前記支持部（２３ｃ）へと延びる第２面部材（５４ｂ）と、
を備えており、
前記第１面部材（５４ａ）と前記第２面部材（５４ｂ）との間に、前記制御基板（５２ａ）から延びる配線（５２ｂ）を所定の配線経路に沿って収納する第１配線空間（Ｓ１）が形成されている、
電装品ユニット（５０）。
【請求項２】
前記第２面部材（５４ｂ）は、前記第１面部材（５４ａ）と成す角が鋭角になっている、
請求項１に記載の電装品ユニット（５０）。
【請求項３】
少なくとも正面部（２２ａ，２２ｂ，２２ｃ）と側面部（２２ｃ，２３ａ，２３ｂ）とを含むケーシング（２）を有する空調ユニット（１）において、前記側面部（２３ａ，２３ｂ）に設けられた支持部（２３ｃ）によって支持された電装品ユニット（５０）であって、
制御基板（５２ａ）を搭載しており、前記正面部（２２ａ，２２ｂ，２２ｃ）と面するように略垂直に延びる板状部材（５２）と、
前記板状部材（５２）の前記側面部（２２ｃ，２３ａ，２３ｂ）側の端部よりも前記側面部（２２ｃ，２３ａ，２３ｂ）と離れた位置で前記板状部材（５２）と接合され、背面側へと延びる第３面部材（５３ａ）と、
前記第３面部材（５３ａ）の背面側の端部から前記支持部（２３ｃ）へと延びる第４面部材（５３ｂ）と、
を備えており、
前記板状部材（５２）と前記第４面部材（５３ｂ）との間に、前記制御基板（５２ａ）から延びる配線（５２ｂ）を所定の配線経路に沿って収納する第２配線空間（Ｓ２）が形成されている、
電装品ユニット（５０）。
【請求項４】
前記第４面部材（５３ｂ）は、前記板状部材（５２）と略平行に配置されている、
請求項３に記載の電装品ユニット（５０）。
【請求項５】
前記第３面部材（５３ａ）は、前記板状部材（５２）と成す角が略垂直になっている、
請求項３または４に記載の電装品ユニット（５０）。
【請求項６】
少なくとも、正面部（２２ａ，２２ｂ，２２ｃ）と、支持部（２３ｃ）が設けられた側面部（２２ｃ，２３ａ，２３ｂ）と、を有するケーシング（２）と、
前記正面部（２２ａ）へと向かう空気の流れを生成するファン（１１）と、
前記空気が背面側から正面側へと通り抜けるときに、前記空気と内部を流れる冷媒との間で熱交換を行なわせる熱交換器（３０）と、
請求項１から５のいずれか１項に記載の電装品ユニット（５０）と、
を備えている空気調和装置の室外機（１）。
【発明の詳細な説明】
【技術分野】
【０００１】
本発明は、空調ユニットに搭載される電装品ユニット、およびこれを備えた空気調和装置の室外機に関する。
【背景技術】
【０００２】
一般に、空調ユニット、例えば、空気調和装置の室外機や室内機には、冷媒機器等を制御するための電子部品が内蔵されている。
【０００３】
このような空調ユニットの中には、特許文献１に示す空気調和装置の室外機のように、電子部品が実装された基板を電装品ユニットとして搭載したものもある。
【特許文献１】特開２００５−７６９２３号公報（平成１７年３月２４日公開）
【発明の開示】
【発明が解決しようとする課題】
【０００４】
現在、空調ユニットの能力を向上させるために、電装品ユニットに搭載する基板のサイズを従来よりも大きなものに換装することが検討されている。
【０００５】
しかしながら、電装品ユニットに搭載する基板を従来よりも大きな物に換装すると、上記従来の空調ユニットでは起こらなかった問題が発生する。
【０００６】
すなわち、電装品ユニットを空調ユニットへ組み込む際に、配線スペースを十分確保することができなくなり、配線が所定の配線経路からはみ出して空調ユニットの組み立て作業の妨げとなる場合がある。そのため、組み立て作業に手間がかかるおそれがある。
【０００７】
本発明の課題は、組み立て作業の作業性を向上させることが可能な電装品ユニット、およびこれを備えた空気調和装置の室外機を提供することにある。
【課題を解決するための手段】
【０００８】
第１の発明に係る電装品ユニットは、少なくとも正面部と側面部とを含むケーシングを有する空調ユニットにおいて、側面部に設けられた支持部によって支持された電装品ユニットであって、板状部材と、第１面部材と、第２面部材と、を備えている。板状部材は、制御基板を搭載しており、正面部と面するように略垂直に延びる。第１面部材は、板状部材の側面部側の端部から背面側へと延び、板状部材と鋭角を成す。第２面部材は、第１面部材の背面側の端部から支持部へと延びる。第１配線空間は、第１面部材と第２面部材との間に形成されており、制御基板から延びる配線を所定の配線経路に沿って収納する。
【０００９】
ここでは、制御基板から延びる配線を所定の配線経路に沿って収納する第１配線空間が、第１面部材と第２面部材との間に形成されている。このため、配線を所定の配線経路に沿って収納することができる。
【００１０】
これにより、空調ユニットの組み立て時において、配線が所定の配線経路からはみ出し難くなる。
【００１１】
この結果、組み立て作業の作業性を向上させることができる。
【００１２】
第２の発明に係る電装品ユニットは、第１の発明に係る電装品ユニットであって、第２面部材は、第１面部材と成す角が鋭角になっている。
【００１３】
このため、平面視において略三角形状に形成された第１配線空間に、制御基板から延びる配線を押し込んで所定の配線経路に沿って収納させることができる。
【００１４】
この結果、空調ユニットの組み立て作業における作業性をさらに向上させることができる。
【００１５】
第３の発明に係る電装品ユニットは、少なくとも正面部と側面部とを含むケーシングを有する空調ユニットにおいて、側面部に設けられた支持部によって支持された電装品ユニットであって、板状部材と、第３面部材と、第４面部材と、を備えている。板状部材は、制御基板を搭載しており、正面部と面するように略垂直に延びる。第３面部材は、板状部材の側面部側の端部よりも側面部と離れた位置で板状部材と接合され、背面側へと延びる。第４面部材は、第３面部材の背面側の端部から支持部へと延びる。第２配線空間は、板状部材と第４面部材との間に形成されており、制御基板から延びる配線を所定の配線経路に沿って収納する。
【００１６】
ここでは、制御基板から延びる配線を所定の配線経路に沿って収納する第２配線空間が、板状部材と第４面部材との間に形成されている。このため、配線を所定の配線経路に沿って収納することができる。
【００１７】
これにより、空調ユニットの組み立て時において、配線が所定の配線経路からはみ出し難くなる。
【００１８】
この結果、組み立て作業の作業性を向上させることができる。
【００１９】
第４の発明に係る電装品ユニットは、第３の発明に係る電装品ユニットであって、第４面部材は、板状部材と略平行に配置されている。
【００２０】
ここでは、第２配線空間は、第４面部材と板状部材とによって、正面側の側面および背面側の側面が略平行に形成されている。
【００２１】
このため、平面視において、第２配線空間の開口側および奥側における正面側から背面側へ向かう方向の幅がほぼ同じとなるように、第２配線空間を形成することができる。
【００２２】
これにより、第２配線空間へ配線を押し込み易くすることができる。
【００２３】
この結果、空調ユニットの組み立て作業における作業性をより向上させることができる。
【００２４】
第５の発明に係る電装品ユニットは、第３または第４の発明に係る電装品ユニットであって、第３面部材は、板状部材と成す角が略垂直になっている。
【００２５】
ここでは、第２配線空間は、第３面部材と板状部材とによって正面側の側面と第３面部材側の側面との成す角が略直角となるように形成されている。
【００２６】
これにより、第２配線空間の奥側、すなわち第３面部材側まで配線を容易に押し込むことができる。
【００２７】
この結果、空調ユニットの組み立て作業における作業性をより一層向上させることができる。
【００２８】
第６の発明に係る空気調和装置の室外機は、ケーシングと、ファンと、熱交換器と、第１から第５の発明のいずれか１つに係る電装品ユニットと、を備えている。ケーシングは、少なくとも、正面部と、支持部が設けられた側面部と、を有している。ファンは、正面部へと向かう空気の流れを生成する。熱交換器は、空気が背面側から正面側へと通り抜けるときに、空気と内部を流れる冷媒との間で熱交換を行なわせる。
【００２９】
これにより、空気調和装置の室外機において、上記発明に係る電装品ユニットと同様の効果を得ることができる。
【００３０】
すなわち、空気調和装置の室外機の組み立て時において、配線が所定の配線経路からはみ出し難くなり、組み立て作業の作業性を向上させることができる。
【００３１】
なお、配線には、例えば、ワイヤーハーネスが含まれる。
【発明の効果】
【００３２】
第１の発明に係る電装品ユニットによれば、空調ユニットの組み立て作業の作業性を向上させることができる。
【００３３】
第２の発明に係る電装品ユニットによれば、空調ユニットの組み立て作業における作業性をさらに向上させることができる。
【００３４】
第３の発明に係る電装品ユニットによれば、空調ユニットの組み立て作業の作業性を向上させることができる。
【００３５】
第４の発明に係る電装品ユニットによれば、空調ユニットの組み立て作業における作業性をより向上させることができる。
【００３６】
第５の発明に係る電装品ユニットによれば、空調ユニットの組み立て作業における作業性をより一層向上させることができる。
【００３７】
第６の発明に係る空気調和装置の室外機によれば、組み立て時において、配線が所定の配線経路からはみ出し難くなり、組み立て作業の作業性を向上させることができる。
【発明を実施するための最良の形態】
【００３８】
本発明の一実施形態に係る空気調和装置の室外ユニット（空気調和装置の室外機）１について、図１〜図６を用いて説明すれば以下の通りである。
【００３９】
＜室外ユニット１全体の構成＞
室外ユニット１は、室外に設置されており、図１〜図４に示すように、いわゆるトランク型の室外ユニットである。
【００４０】
室外ユニット１は、主に、ユニットケーシング２と、冷媒回路構成部品３と、ファン１１と、電装品ユニット５０と、を備えている。そして、室外ユニット１は、室外ユニット１の背面および左側面から外気（空気）を内部へと吸い込んで、吸い込んだ空気と冷媒との間で熱交換を行なわせる。さらに、室外ユニット１は、熱交換を行なった空気を正面から排気する。
【００４１】
＜ユニットケーシング２＞
ユニットケーシング２は、図１および図２に示すように、略直方体状に形成されており、図３または図４に示すように、主として、冷媒回路構成部品３と、ファン１１と、電装品ユニット５０と、を格納する。そして、ユニットケーシング２は、底板２１と、左前板（正面部）２２ａと、上部左前板（正面部）２２ｂと、右前板（正面部、側面部）２２ｃと、右側板（側面部）２３ａと、上部右側板（側面部）２３ｂと、天板２８と、を有している。
【００４２】
底板２１は、ユニットケーシング２の下面部分を形成する横長の略長方形状の板状部材である。底板２１の下面には、現地据付面に固定される２つの固定脚２１ａが設けられている。
【００４３】
天板２８は、ユニットケーシング２の上面部分を形成しており、横長の略長方形状の板状部材である。
【００４４】
ユニットケーシング２の正面は、図１および図３に示すように、左前板２２ａおよび上部左前板２２ｂによって正面視の左側側端から中央部やや右寄りの部分までが形成されている。また、右前板２２ｃによって上記中央部やや右寄りの部分から右側端までが形成されている。
【００４５】
左前板２２ａは、平面視において略Ｌ字状に形成されており、室外ユニット１の左側面から正面にかけて配置されている。そして、左前板２２ａは、上下方向の高さが室外ユニット１の高さの約４／５となる金属パネルである。
【００４６】
また、左前板２２ａには、正面側に円状に形成された吹き出し口２７が上下方向に並んで２つ設けられている。この２つの吹き出し口２７は、ファン１１（後段にて詳述）によってユニットケーシング２の背面（後段にて詳述）側および左側面（後段にて詳述）側から内部に取り込まれた空気を外部に排気するための開口部である。なお、各吹き出し口２７には、内部へ異物が入りこむのを防止するためにファングリル２７ａがそれぞれ設けられている。
【００４７】
上部左前板２２ｂは、平面視において略Ｌ字状に形成された金属パネルであり、左前板２２ａの直上方に配置されている。また、上部左前板２２ｂは、左前板２２ａの上側端から天板２８まで上下方向に延びている。
【００４８】
右前板２２ｃは、室外ユニット１の正面視における右側に配置されており、平面視において略Ｌ字状に形成されている。また、右前板２２ｃは、上下方向には底板２１から天板２８まで延びており、正面視の左右方向には左前板２２ａおよび上部左前板２２ｂの右側端から室外ユニット１の右側端へと延びている。さらに、右前板２２ｃは、室外ユニット１の正面視における右側端で折り曲げられて背面側へと延びており、後段にて詳述するユニットケーシング２の右側面の正面側を形成している。
【００４９】
ユニットケーシング２の左側面は、図１および図３に示すように、室外ユニット１の正面視において、左前板２２ａおよび上部左前板２２ｂが左側端で折り曲げられ、後方へと延びて形成されている。なお、ユニットケーシング２の左側面には、前後方向（正面側から背面側へ向かう方向）に長い長方形状の空気吸い込み口２４ａが上下方向に並んで設けられている。
【００５０】
ユニットケーシング２の右側面は、図２および図３に示すように、室外ユニット１の正面視における右側端から延びる右前板２２ｃによって正面側が形成されており、さらに、右側板２３ａおよび上部右側板２３ｂによって、背面側が形成されている。
【００５１】
右側板２３ａは、室外ユニット１の背面側の右側角部付近に配置されており、平面視において略Ｌ字状に形成された金属パネルである。そして、右側板２３ａの上下方向の高さは、室外ユニット１の高さの約４／５となる高さである。さらに、右側板２３ａは、上記のようにユニットケーシング２の右側面の背面側を形成するとともに、室外ユニット１の背面側の右角部において、正面視の左方向に折り曲げられている。そして、右側板２３ａは、ユニットケーシング２の正面と略平行に延び、ユニットケーシング２の背面の右側部分の一部を形成している。
【００５２】
上部右側板２３ｂは、右側板２３ａの直上方に配置されており、右側板２３ａと同様に略Ｌ字状に形成されている。そして、上部右側板２３ｂは、右側板２３ａの上側の側端から天板２８へと上下方向に延びる金属パネルである。
【００５３】
ここで、室外ユニット１の背面は、図２に示すように、右側板２３ａおよび上部右側板２３ｂによって右側部分の一部が形成されている。そして、室外ユニット１の残りの背面部分、すなわち、ユニットケーシング２の左側面の背面側の側端と、右側板２３ａおよび上部右側板２３ｂの背面側の側端との間には、開口スペースが形成されている。
【００５４】
なお、熱交換器３０（後段にて詳述）は、上記開口スペースに背面側が露出するように配置されている。また、室外ユニット１の背面側において、上記露出した熱交換器３０と面するように、異物の混入を防止する防護グリル１０および上部防護グリル１０ａが取り付けられている。
【００５５】
また、右側板２３ａおよび上部右側板２３ｂには、図３に示すように、電装品ユニット５０（後段にて詳述）を支持する支持部２３ｃが正面側の側端に沿って設けられている。
【００５６】
仕切り板２５は、図３に示すように、底板２１に対して上下方向に延びる金属製の板状部材である。そして、仕切り板２５は、図４に示すように、ユニットケーシング２の内部空間を左側の送風機室ＳＰ１と右側の機械室ＳＰ２とに区画するように配置されている。
【００５７】
また、仕切り板２５は、その下部が底板２１にネジ等により固定されている。なお、左前板２２ａおよび上部左前板２２ｂの右側端は、仕切り板２５の正面側の側端にネジ等により固定されている。
【００５８】
管板２６は、ユニットケーシング２の左側面から背面に沿うように配置された略Ｌ字形状の熱交換器３０の背面側の端面に対応するように設けられた金属製の板状部材であり、その下部が底板２１にネジ等により固定されている。そして、管板２６の正面側の側端と仕切り板２５の背面側の側端とは、互いにネジ等により固定されている。また、右側板２３ａの背面側の側端は、管板２６のユニットケーシング背面側の側端にネジ等により固定されている。
【００５９】
＜ファン１１＞
ファン１１は、図３に示すように、複数の翼を有するプロペラファンであり、送風機室ＳＰ１（図４参照）において、熱交換器３０の前面側の支持部材１２に吹き出し口２７と面するように上下方向に並んで２基取り付けられている。このファン１１を回転駆動すると、室外ユニット１の内部が負圧状態となって、ユニットケーシング２の背面あるいは左側面からユニットケーシング２の正面へと向かう空気の流れが生成される。そして、上記空気の流れによって、熱交換器３０を通過した空気は左前板２２ａの吹き出し口２７から外部へと吹き出される。
【００６０】
＜冷媒回路構成部品３＞
冷媒回路構成部品３は、図３及び図４に示すように、熱交換器３０、圧縮機４０、レシーバ４１、四路切換弁４２、閉鎖弁３７、３８等を備えている。
【００６１】
熱交換器３０は、送風機室ＳＰ１に配置されており、ファン１１によってユニットケーシング２内に取り込まれた空気を利用して熱交換を行う。なお、熱交換器３０は、ユニットケーシング２の左側面から背面に沿うように配置された略Ｌ字形状の熱交換器であり、第１熱交換部３１と第２熱交換部３２とを有している。
【００６２】
第１熱交換部３１は、上下方向の高さが左前板２２ａとほぼ同じ高さとなるように形成されている。
【００６３】
第２熱交換部３２は、第１熱交換部３１の直上方に配置されており、上部左前板２２ｂと上下方向の高さがほぼ同じとなるように形成されている。
【００６４】
ここで、第１熱交換部３１および第２熱交換部３２は、室外ユニット１の左側面あるいは背面側から吸い込まれた空気が通りに抜ける際に、内部を流れる冷媒と空気との間で熱交換を行なわせる。
【００６５】
＜電装品ユニット５０＞
電装品ユニット５０は、図３〜図５に示すように、機械室ＳＰ２（図４参照）の上部に配置されており、第１板状部材５１と、第２板状部材５２と、配線ガイド部材５３と、を備えている。
【００６６】
第１板状部材５１は、図４に示すように、仕切り板２５と面するように配置されており、上下方向に延びる長方形状の板状部材である。そして、第１板状部材５１は、圧縮機４０を駆動するインバータ回路や各電子部品を冷却する大型のヒートシンク（図示せず）を含む駆動用Ｐ板を搭載している。
【００６７】
第２板状部材５２は、図４に示すように、ユニットケーシング２の正面と面するように配置されており、上下方向に延びる長方形状の板状部材である。そして、第２板状部材５２は、運転制御を行うためのマイコン等を含む制御用Ｐ板５２ａをユニットケーシング２の正面と面するように搭載している。
【００６８】
配線ガイド部材５３は、図５および図６に示すように、第３面部材５３ａと第４面部材５３ｂとを有しており、第２板状部材５２の右側端部の背面側に配置されている。なお、ワイヤーハーネス（配線）５２ｂは、配線ガイド部材５３によって形成される第２配線空間Ｓ２（後段にて詳述）において、配線経路（所定の配線経路）Ａ（図６参照）に沿って収納されている。
【００６９】
ワイヤーハーネス５２ｂは、図５に示すように、制御用Ｐ板５２ａから、四路切換弁４２等の冷媒回路構成部品３へと延びる配線である。
【００７０】
第３面部材５３ａは、図４〜図６に示すように、ユニットケーシング２の右側面側（以下、右側面側）の第２板状部材５２の端部よりも右側面側と離れた位置で、第２板状部材５２の背面側とスポット溶接によって接合されている。なお、平面視において、第２板状部材５２および第３面部材５３ａは、互いの成す角α（図６参照）が約９０°となるように接合されている。
【００７１】
このため、上記角αが鋭角や鈍角となるように第２板状部材５２および第３面部材５３ａが接合されている場合よりも、第２配線空間Ｓ２の奥側、すなわち第３面部材５３ａ側までワイヤーハーネス５２ｂを容易に押し込むことができる。
【００７２】
第４面部材５３ｂは、第３面部材５３ａの背面側の端部から右側面側へと延び支持部２３ｃに接合されている。また、第４面部材５３ｂは、第２板状部材５２と略平行となるように上下方向に延びている。
【００７３】
第２配線空間Ｓ２は、図６に示すように、第２板状部材５２の背面側において、第２板状部材５２と第４面部材５３ｂとの間に形成されている。また、正面視において、第２配線空間Ｓ２の左側面は第３面部材５３ａによって形成されており、第２配線空間Ｓ２の右側は開口している。
【００７４】
これにより、制御用Ｐ板５２ａから延びるワイヤーハーネス５２ｂを第２配線空間Ｓ２へと押し込んで、ワイヤーハーネス５２ｂを配線経路Ａに沿って収納することができる。
【００７５】
このため、室外ユニット１の組み立て時において、第２配線空間Ｓ２にワイヤーハーネス５２ｂを収納することができるので、配線経路Ａからワイヤーハーネス５２ｂがはみ出すことを防止することができる。
【００７６】
また、上記のように第２配線空間Ｓ２の正面側および背面側の側面は、第４面部材５３ｂと第２板状部材５２とによって略平行に形成されている。そのため、第２配線空間Ｓ２の上記奥側および上記開口側において、室外ユニット１の正面から背面へと向かう方向の長さ、すなわち前後方向の幅は、ほぼ同じとなるように形成されている。これにより、室外ユニット１の組み立て作業時において、作業者は、ワイヤーハーネス５２ｂを開口側からスムーズに押し込むことができる。
【００７７】
＜電装品ユニット５０の特徴＞
（１）
本実施形態の室外ユニット１において、図５に示すように、ユニットケーシング２は、左前板２２ａ、上部左前板２２ｂ、右前板２２ｃ（図１参照）によって形成される正面（以下、正面）と、右前板２２ｃ、右側板２３ａ、上部右側板２３ｂによって形成される右側面（以下、右側面）と、を有している。上記右側面を形成する右側板２３ａおよび上部右側板２３ｂには、支持部２３ｃが設けられている。電装品ユニット５０は、支持部２３ｃによって支持されており、第２板状部材５２と、第３面部材５３ａと、第４面部材５３ｂと、を備えている。第２板状部材５２は、制御用Ｐ板５２ａを搭載しており、上記正面と面するように上下方向に延びている。第３面部材５３ａは、上記右側面側に位置する第２板状部材５２の端部よりも上記右側面と離れた位置で、第２板状部材５２と接合されて背面側へと延びている。第４面部材５３ｂは、第３面部材５３ａの背面側の端部から支持部２３ｃへと延びている。第２板状部材５２と第４面部材５３ｂとの間に、制御用Ｐ板５２ａから延びるワイヤーハーネス５２ｂを配線経路Ａに沿って収納する第２配線空間Ｓ２が形成されている。
【００７８】
これにより、配線経路Ａに沿ってワイヤーハーネス５２ｂを収納することができる。そのため、室外ユニット１の組み立て時において、配線が配線経路Ａからはみ出すことを防止することできる。
【００７９】
この結果、室外ユニット１の組み立て作業における作業性を向上させることができる。
【００８０】
（２）
本実施形態の電装品ユニット５０において、図６に示すように、第４面部材５３ｂは、第２板状部材５２と略平行に配置されている。
【００８１】
このため、第２配線空間Ｓ２は、第４面部材５３ｂと第２板状部材５２とによって、正面側および背面側の側面が略平行に形成されている。
【００８２】
そのため、第２配線空間Ｓ２の奥側（第３面部材５３ａ側）および第２配線空間Ｓ２の開口側（第２配線空間の正面視における右側）において、室外ユニット１の正面から背面へと向かう方向の長さ、すなわち前後方向の幅が、ほぼ同じ長さとなるように形成されている。
【００８３】
これにより、第２配線空間Ｓ２に、制御用Ｐ板５２ａから延びるワイヤーハーネス５２ｂをスムーズに押し込むことができる。
【００８４】
この結果、室外ユニット１の組み立て作業における作業性をより向上させることができる。
【００８５】
（３）
本実施形態の電装品ユニット５０において、図６に示すように、第３面部材５３ａおよび第２板状部材５２は、互いの成す角αが約９０°となるように接合されている。
【００８６】
このため、上記角αが鋭角や鈍角を成すように第２板状部材５２および第３面部材５３ａが接合されている場合よりも、第２配線空間Ｓ２の奥側、すなわち第３面部材５３ａ側までワイヤーハーネス５２ｂを容易に押し込むことができる。
【００８７】
この結果、室外ユニット１の組み立て作業における作業性をより一層向上させることができる。
【００８８】
（４）
本実施形態の室外ユニット１は、図３に示すように、ユニットケーシング２と、ファン１１と、熱交換器３０と、電装品ユニット５０と、を備えている。
【００８９】
ユニットケーシング２は、左前板２２ａ、上部左前板２２ｂ、右前板２２ｃ、によって形成される正面（以下、正面）と、右前板２２ｃ、右側板２３ａ、上部右側板２３ｂ、によって形成される右側面（以下、右側面）と、を有している。右側面を形成する右側板２３ａおよび上部右側板２３ｂには、支持部２３ｃが設けられている。ファン１１は正面へと向かう空気の流れ生成する。熱交換器３０は、空気が室外ユニット１の背面側から正面側へと通り抜けるときに、空気と内部を流れる冷媒との間で熱交換を行なわせる。
【００９０】
これにより、室外ユニット１の組み立て時において、ワイヤーハーネス５２ｂが配線経路Ａからはみ出すことを防止して、組み立て作業の作業性を向上させることができる。
【００９１】
＜他の実施形態＞
以上、本発明の一実施形態について説明したが、本発明は上記実施形態に限定されるものではなく、発明の要旨を逸脱しない範囲で種々の変更が可能である。
【００９２】
（Ａ）
上記実施形態では、図４に示すように、電装品ユニット５０が配線ガイド部材５３を備えている例を挙げて説明した。しかし、本発明はこれに限定されるものではない。
【００９３】
例えば、配線ガイド部材５３の代わりに、図７および図８に示すように、電装品ユニット５０において、第１面部材５４ａと第２面部材５４ｂとを備えていても良い。より具体的に説明すると以下の通りである。
【００９４】
第１面部材５４ａは、第２板状部材５２におけるユニットケーシング２の右側面側の端部から背面側へと延びている。
【００９５】
第２面部材５４ｂは、第１面部材５４ａの背面側の端部から支持部２３ｃへと延びている。
【００９６】
第１面部材５４ａと第２面部材５４ｂとの間に、制御用Ｐ板５２ａから延びるワイヤーハーネス５２ｂを配線経路Ａに沿って収納する第１配線空間Ｓ１が形成されている。
【００９７】
ここで、平面視において、第２板状部材５２および第１面部材５４ａは、互いの成す角β（図８参照）が鋭角となるように配置されている。また、第１面部材５４ａおよび第２面部材５４ｂも、互いの成す角Γ（図８参照）が鋭角となるように配置されている。
【００９８】
これにより、平面視において、略三角形状に形成された第１配線空間Ｓ１に、ワイヤーハーネス５２ｂを押し込んで配線経路Ａに沿って収納することができる。
【００９９】
なお、第１面部材５４ａおよび第２面部材５４ｂは、第２板状部材５２におけるユニットケーシング２の右側面側の端部をプレス加工等によって形成しても良い。また、第１面部材５４ａと第２面部材５４ｂとを有するガイド部材を別途用いても良い。
【０１００】
この場合にも、上記実施形態に係る電装品ユニット５０と同様の効果を得ることができる。
【０１０１】
（Ｂ）
上記他の実施形態（Ａ）では、図８に示すように、平面視において、第１面部材５４ａおよび第２面部材５４ｂは、互いの成す角Γが鋭角となるように配置されている例を挙げて説明した。しかし、本発明はこれに限定されるものではない。
【０１０２】
例えば、支持部２３ｃの形状や電装品ユニット５０のサイズといったレイアウトの都合に応じて、第１面部材５４ａおよび第２面部材５４ｂの成す角Γが直角あるいは鈍角となるように配置しても良い。
【０１０３】
この場合にも、上記他の実施形態（Ａ）に係る電装品ユニット５０と同様の効果を得ることができる。
【０１０４】
（Ｃ）
上記実施形態では、図４に示すように、第２板状部材５２は、ユニットケーシング２の正面と面するように制御用Ｐ板５２ａ搭載している例を挙げて説明した。しかし、本発明はこれに限定されるものではない。
【０１０５】
例えば、制御用Ｐ板５２ａは、ユニットケーシング２の右側面に面するように第２板状部材５２に搭載していても良い。
【０１０６】
この場合にも、上記実施形態に係る電装品ユニット５０と同様の効果を得ることができる。
【０１０７】
（Ｄ）
上記実施形態では、図４に示すように、第２板状部材５２および第４面部材５３ｂは略平行に配置されている例を挙げて説明した。しかし、本発明はこれに限定されるものではない。
【０１０８】
例えば、平面視において第２配線空間Ｓ２の開口側の方が第２配線空間Ｓ２の第３面部材５３ａ側よりも前後方向の幅（室外ユニット１の正面側から背面側へと向かう方向の幅）が狭くなるように、第２板状部材５２および第４面部材５３ｂを配置しても良い。
【０１０９】
この場合には、第２配線空間Ｓ２に押し込まれたワイヤーハーネス５２ｂがよりはみ出し難くなるので、室外ユニット１の組み立て作業時における作業性をさらに向上させることができる。
【０１１０】
（Ｅ）
上記実施形態では、図６に示すように、平面視において、第３面部材５３ａおよび第２板状部材５２は、互いの成す角αが約９０°となるように接合されている例を挙げて説明した。しかし、本発明はこれに限定されるものではない。
【０１１１】
例えば、第３面部材５３ａおよび第２板状部材５２は、上記角αが鋭角あるいは鈍角となるように接合しても良い。
【０１１２】
この場合にも、上記実施形態にかかる電装品ユニット５０と同様の効果を得ることができる。
【０１１３】
但し、この場合には、第２配線空間Ｓ２の奥側までワイヤーハーネス５２ｂを押し込み難くなるので、上記実施形態のように第３面部材５３ａおよび第２板状部材５２は、互いの成す角αが約９０°となるように接合する方がより好ましい。
【０１１４】
（Ｆ）
上記実施形態では、電装品ユニット５０において、第３面部材５３ａと第２板状部材５２とは、スポット溶接によって接合されている例を挙げて説明した。しかし、本発明はこれに限定されるものではない。
【０１１５】
例えば、第３面部材５３ａと第２板状部材５２とはビス止めによって接合しても良い。
【０１１６】
この場合にも、上記実施形態に係る電装品ユニット５０と同様の効果を得ることができる。
【０１１７】
（Ｇ）
上記実施形態では、電装品ユニット５０が室外ユニット１に備えられている例を挙げて説明した。しかし、本発明はこれに限定されるものではない。
【０１１８】
例えば、電装品ユニット５０が空気調和装置の室内ユニットに備えられていても良い。
【０１１９】
この場合にも、空気調和装置の室内ユニットにおいて、上記実施形態にかかる電装品ユニット５０と同様の効果を得ることができる。
【０１２０】
（Ｈ）
上記実施形態では、電装品ユニット５０において、配線ガイド部材５３がスポット溶接によって第２板状部材５２に接合されている例を挙げて説明した。しかし、本発明はこれに限定されるものではない。
【０１２１】
例えば、最初から、第２板状部材５２と配線ガイド部材５３とを１つの部品として一体に成型して用いても良い。
【０１２２】
この場合には、第２板状部材５２と配線ガイド部材５３とをスポット溶接によって接合する手間を省くことができる。
【０１２３】
但し、この場合には、第２板状部材５２と配線ガイド部材５３とを一体に成型するため、電装品ユニット５０の製造コストが増すおそれがある。そのため、電装品ユニット５０において、配線ガイド部材５３をスポット溶接によって第２板状部材５２に接合する方がより好ましい。
【０１２４】
（Ｉ）
上記実施形態では、図４に示すように、室外ユニット１において、電装品ユニット５０は、ユニットケーシング２の右側面に設けられた支持部２３ｃによって支持されている例を挙げて説明した。しかし、本発明はこれに限定されるものではない。
【０１２５】
例えば、電装品ユニット５０を室外ユニット１の左側面側に配置する場合には、ユニットケーシング２の左側面に支持部を設けて電装品ユニット５０を支持させるようにしても良い。
【０１２６】
この場合にも、上記実施形態に係る電装品ユニット５０と同様の効果を得ることができる。
【０１２７】
（Ｊ）
上記実施形態では、図４に示すように、室外ユニット１において、電装品ユニット５０は、機械室ＳＰ２の上部に配置されている例を挙げて説明した。しかし、本発明はこれに限定されるものではない。
【０１２８】
例えば、室外ユニット１のレイアウトの都合に応じて、電装品ユニット５０を送風機室ＳＰ１に配置しても良い。また、送風機室ＳＰ１と機械室ＳＰ２とにまたがるように、電装品ユニット５０を配置しても良い。
【０１２９】
この場合にも、上記実施形態に係る電装品ユニット５０と同様の効果を得ることができる。
【産業上の利用可能性】
【０１３０】
本発明の電装品ユニットは、室外機の組立作業の作業性を向上させるという効果を奏することから、電装品ユニットおよびこれを備えた空気調和装置の室外機に対して広く適用可能である。
【図面の簡単な説明】
【０１３１】
【図１】本発明の一実施形態に係る空気調和装置の室外ユニットの正面側の外観を示す斜視図。
【図２】図１に示す空気調和装置の室外ユニットの背面側の外観を示す斜視図。
【図３】図１に示す空気調和装置の室外ユニットの内部構成を示す分解図。
【図４】図１に示す空気調和装置の室外ユニットにおいて、仕切り板が取り付けられた状態を示す分解図。
【図５】正面視において、右前板を室外ユニットから取り外して図１に示す領域Vの内部を露出させた状態を示す図。
【図６】図５に示す領域VIに含まれる第２配線空間の周辺の構成を模式的に示した図。
【図７】他の実施形態（Ａ）において、右前板を室外ユニットから取り外して領域V（図１参照）の内部を露出させた状態を示す図。
【図８】図７に示す領域VIIIに含まれる第１配線空間の周辺の構成を模式的に示した図。
【符号の説明】
【０１３２】
１      室外ユニット（空気調和装置の室外機）
２      ユニットケーシング
３      冷媒回路構成部品
１０      防護グリル
１０ａ    上部防護グリル
１１      ファン
１２      支持部材
２１      底板
２１ａ    固定脚
２２ａ    左前板（正面部）
２２ｂ    上部左前板（正面部）
２２ｃ    右前板（正面部、側面部）
２３ａ    右側板（側面部）
２３ｂ    上部右側板（側面部）
２３ｃ    支持部
２４ａ    空気吸い込み口
２５      仕切り板
２６      管板
２７      吹き出し口
２７ａ    ファングリル
２８      天板
３０      熱交換器
３１      第１熱交換部
３２      第２熱交換部
３７、３８  閉鎖弁
４０      圧縮機
４１      レシーバ
４２      四路切換弁
５０      電装品ユニット
５１      第１板状部材
５２      第２板状部材
５２ａ    制御用Ｐ板
５２ｂ    ワイヤーハーネス（配線）
５３      配線ガイド部材
５３ａ    第３面部材
５３ｂ    第４面部材
５４ａ    第１面部材
５４ｂ    第２面部材
Ｓ１      第１配線空間
Ｓ２      第２配線空間
ＳＰ１    送風機室
ＳＰ２    機械室
【図１】
2008101832.tif 000003
【図２】
2008101832.tif 000004
【図３】
2008101832.tif 000005
【図４】
2008101832.tif 000006
【図５】
2008101832.tif 000007
【図６】
2008101832.tif 000008
【図７】
2008101832.tif 000009
【図８】
2008101832.tif 000010